(57)【要約】  【課題】  簡単な構造で入れ易さと抜け難さを両立させる。  【解決手段】  すり割り部３が形成される雌状体１又は雄状体２のどちらか一方を、他方よりも硬い材質で形成し、他方と向き合う面のみに、その軸線と交差する方向へ延びる凹凸部４を形成して、これら雌状体１と雄状体２を圧入することにより、前記凹凸部４で軟らかい他方の対向面を削ることなくスムーズに入り込み、該凹凸部４が、軟らかい他方の対向面に食い込んで抜け防止する。  【選択図】      図２
2007118273.tif 000002
【特許請求の範囲】
【請求項１】
互いに嵌り合う筒状の雌状体（１）と、それに挿入される雄状体（２）のどちらか一方に、軸方向へ延びるすり割り部（３）を切欠形成し、これら雌状体（１）と雄状体（２）の圧入により、該すり割り部（３）の隙間が広狭しその外径を変化させて、雌状体（１）及び雄状体（２）同士を嵌合したまま連結する筆記具用嵌合構造において、
上記すり割り部（３）が形成される雌状体（１）又は雄状体（２）のどちらか一方を、他方よりも硬い材質で形成し、他方と向き合う面のみに、その軸線と交差する方向へ延びる凹凸部（４）を形成して、圧入により該凹凸部（４）を、軟らかい材質からなる他方の対向面に食い込ませたことを特徴とする筆記具用嵌合構造。
【請求項２】
上記すり割り部（３）が形成される雌状体（１）又は雄状体（２）のどちらか一方に、その他方と向き合わない反対側の面に沿って径変化規制筒体（５）を、該すり割り部（３）の奥側のみと重なり合うように設けたことを特徴とする請求項１記載の筆記具用嵌合構造。
【請求項３】
上記雄状体（２）が、筆記具（Ａ）の軸筒（Ａ１）に対して軸方向へ往復動自在なノック棒であり、雌状体（１）が該ノック棒を押圧するキャップであることを特徴とする請求項１又は２記載の筆記具用嵌合構造。
【発明の詳細な説明】
【技術分野】
【０００１】
本発明は、例えばシャープペンシルやボールペンなどの筆記具において、複数に分割形成された筒状部品を相互に連結するための筆記具用嵌合構造に関する。
詳しくは、互いに嵌り合う筒状の雌状体と、それに挿入される雄状体のどちらか一方に、軸方向へ延びるすり割り部を切欠形成し、これら雌状体と雄状体の圧入により、該すり割り部の隙間が広狭しその外径を変化させて、雌状体及び雄状体同士を嵌合したまま連結する筆記具用嵌合構造に関する。
【背景技術】
【０００２】
従来、この種の筆記具用嵌合構造として、軸筒が前軸（先軸）と後軸の端部同士を嵌合させることで着脱自在に連結され、前軸の後端部内周に雌状体として雌ネジを形成すると共に、二つのすり割り部を周方向へ等間隔毎に切欠形成し、また後軸の前端部外周に雄状体として雄ネジを形成し、その組立は、前軸の後方部か又は後軸の前方部の外周に外筒を嵌合してから、前軸の雌ネジに後軸の雄ネジを螺合して連結することにより、外筒ですり割り部を隠蔽して外観を良好にし、更に後軸に引っ張り力がかかっても外筒ですり割り部が広がって後軸が抜け出ないようにしたものがある（例えば、特許文献１参照）。
また、その他の例として、前軸の後端内面に雌状体（雌部）として凹嵌部を設け、後軸の前部外周に雄状体（雄部）として凸嵌部を設け、これら凹嵌部及び凸嵌部にすり割り部を設け、その組立は、前軸の後方部か又は後軸の前方部の外周に外筒を嵌合してから、前軸の凹嵌部に後軸の凸嵌部を挿入して連結するものもある
【０００３】
しかし乍ら、このような従来の筆記具用嵌合構造によれば、雌状体と雄状体の両方に雌ネジや雄ネジ又は凹嵌部や凸嵌部を夫々形成しなければ確実に連結できず、そのため構造が複雑化して製造コストが高くなるという問題があった。
更に、雌状体と雄状体の両方にネジを夫々形成したものは、組立時にネジを螺合させなければならず、組立性能が劣り、製造に手間かがかかるという問題があった。
また、このような問題点を解決するために、雌状体と雄状体のどちらか一方のみにネジなどを形成して嵌合させた場合には、抜け易くなって紛失事故などに発展する恐れがあるという問題があった。
【特許文献１】実開昭６４−４８２９３号公報（第１頁、第１−３図）
【発明の開示】
【発明が解決しようとする課題】
【０００４】
本発明は、上記従来事情に鑑みてなされたもので、その課題とするところは、簡単な構造で入れ易さと抜け難さを両立させることが可能な筆記具用嵌合構造を提供することにある。
【課題を解決するための手段】
【０００５】
上記課題を解決するために、第一の発明では、互いに嵌り合う筒状の雌状体と、それに挿入される雄状体のどちらか一方に、軸方向へ延びるすり割り部を切欠形成し、これら雌状体と雄状体の圧入により、該すり割り部の隙間が広狭しその外径を変化させて、雌状体及び雄状体同士を嵌合したまま連結する筆記具用嵌合構造において、上記すり割り部が形成される雌状体又は雄状体のどちらか一方を、他方よりも硬い材質で形成し、他方と向き合う面のみに、その軸線と交差する方向へ延びる凹凸部を形成して、圧入により該凹凸部を、軟らかい材質からなる他方の対向面に食い込ませたことを特徴とする。
また、第二の発明では、上記第一の発明の構成に加えて、上記上記すり割り部が形成される雌状体又は雄状体のどちらか一方に、その他方と向き合わない反対側の面に沿って径変化規制筒体を、該すり割り部の奥側のみと重なり合うように設けたことを特徴とする。
また、第三の発明では、上記第一又は第二の発明の構成に加えて、上記雄状体が、筆記具の軸筒に対して軸方向へ往復動自在なノック棒であり、雌状体が該ノック棒を押圧するキャップであることを特徴とする。
【発明の効果】
【０００６】
本発明は、上記構成により下記の作用効果を奏する。
第一の発明によれば、すり割り部が形成される雌状体又は雄状体のどちらか一方を、他方よりも硬い材質で形成し、他方と向き合う面のみに、その軸線と交差する方向へ延びる凹凸部を形成して、これら雌状体と雄状体を圧入することにより、前記凹凸部で軟らかい他方の対向面を削ることなくスムーズに入り込み、該凹凸部が、軟らかい他方の対向面に食い込んで抜け防止する。
従って、簡単な構造で入れ易さと抜け難さを両立させることができる。
よって、雌状体と雄状体の両方に雌ネジや雄ネジ又は凹嵌部や凸嵌部を夫々形成しなければ確実に連結できない従来技術と比べ、構造を簡素化できると同時に組立性能が優れて、その分だけ製造コストの低減化が図れると共に、抜けによる紛失事故なども防止できる。
更に、一方の材質に比べて他方の材質が軟らかいため、他方の圧入時にその外表面が凹凸部で削れる恐れがあるものの、一方がすり割り部によって外径変化し易くなっているため、他方をスムーズに挿入できるから、他方の嵌合部の削れも防止できる。
【０００７】
第二の発明によれば、すり割り部が形成される雌状体又は雄状体のどちらか一方に、その他方と向き合わない反対側の面に沿って径変化規制筒体を、該すり割り部の奥側のみと重なり合うように設けることにより、雌状体と雄状体の圧入に伴って、すり割り部の隙間の先端側のみが広狭して嵌合に必要な分の外径変化は確保されるものの、その隙間の奥側は略一定に保たれて外径変化が抑制される。
従って、スムーズな圧入を実現しながら確実な抜け防止を達成することができる。
更に、雌状体と雄状体の圧入が繰り返されても確実な抜け防止が期待できる。
【０００８】
第三の発明によれば、雄状体である筆記具の軸筒に対して軸方向へ往復動自在なノック棒の外側面に沿って、雌状体である該ノック棒を押圧するためのキャップを軸方向へ圧入嵌合することにより、強いノック操作を繰り返すことなどてバネなどの弾性力によりノック棒に戻し方向へ勢いの良い慣性力がキャップに作用しても、しっかり食い込んでいるため抜けることがない。
従って、ノック棒からのキャップの抜けを確実に防止することができる。
よって、昨今のデザイン性が高い装飾体をキャップなどに具備した場合には、該装飾体の重さの影響でノック棒に掛かる戻し方向への慣性力が増大するが、本発明によれば、その慣性力による、例えばノック操作に伴う装飾体やキャップの外れなどの弊害を防止することができる。
【発明を実施するための最良の形態】
【０００９】
本発明の筆記具用嵌合構造は、図１〜図３に示す如く、筆記具Ａの構成部品のうち、例えばノック棒とそれを押圧するキャップなどのような個別に分割形成された雌状体１と、それに挿入される雄状体２とを相互に連結させるものであり、その互いに嵌り合う筒状の雌状体１と雄状体２のどちらか一方に、軸方向へ延びるすり割り部３を切欠形成し、これら雌状体１と雄状体２を圧入して該すり割り部３の隙間を広狭することにより、その外径を変化させて、雌状体１及び雄状体２同士を嵌合したまま連結している。
【００１０】
詳しく説明すれば、雌状体１にすり割り部３を切欠形成し、これに雄状体２を圧入して該すり割り部３の隙間を広くすることにより、その外径を拡径させて、これら雌状体１及び雄状体２同士を嵌合連結するか、又はこれと逆に、雄状体２にすり割り部３を切欠形成し、これを雌状体１に圧入して該すり割り部３の隙間を狭くすることにより、その外径を縮径させて、これら雌状体１及び雄状体２同士を嵌合連結する。
【００１１】
前記すり割り部３が切欠形成される雌状体１又は雄状体２のどちらか一方は、他方よりも硬い材質で形成され、その他方と向き合う面のみに、その軸線と交差する方向へ延びる凹凸部４を形成して、これら両者の圧入により該凹凸部４を、軟らかい材質からなる他方の対向面に食い込ませるようにする。
【００１２】
このすり割り部３が切欠形成される雌状体１又は雄状体２のどちらか一方には、その他方と向き合わない反対側の面に沿って径変化規制筒体５を、該すり割り部３の奥側（後端側）のみと重なり合うように設けることにより、雌状体１と雄状体２の圧入に伴って、各すり割り部３の隙間の先端側（前端側）は広くするか又は狭くして嵌合に必要な分の外径変化を確保するものの、その隙間の奥側（後端側）は略一定に保たれて外径が拡径又は縮径変化するのを抑制している。
以下、本発明の一実施例を図面に基づいて説明する。
【実施例１】
【００１３】
この実施例１は、図１〜図３（ａ）（ｂ）に示す如く、上記雄状体２が、筆記具Ａの軸筒Ａ１に対して軸方向へ往復動自在なノック棒で、雌状体１が該ノック棒２を押圧するキャップであり、このキャップ１をノック棒２よりも硬い材質で形成し、その前端開口部１ａに沿ってすり割り部３を周方向へ複数切欠形成する共に、該キャップ１のノック棒２と向き合う内周面に凹凸部４を形成し、そこにノック棒２を軸方向へ圧入することで、すり割り部３の各隙間を広くして該キャップ１の前端開口部１ａの外径を拡径させることにより、前記凹凸部４を、軟らかい材質からなるノック棒２の外周面に食い込ませて、軸方向へ移動不能に連結した場合を示している。
【００１４】
そして、前記筆記具Ａは、図１に示す如く、キャップ１を介してノック棒２が押圧操作されることにより、軸筒Ａ１と連続する軸体Ａ２の内周面に形成された中駒Ａ２′に沿って回転子Ａ３を軸方向へ前進させて筆記体（ボールペン又はシャープペンシルなど）Ａ４の筆記先端部を軸筒Ａ１の先端口Ａ５から突出すると同時に突出状態のまま係止し、再度のノック操作により、係止状態を解除して中駒Ａ２′沿いに回転子Ａ３を軸方向へ後退させて筆記体Ａ４の先端部を軸筒Ａ１の先端口Ａ５から没入するようにしたノック式筆記具を示している。
【００１５】
図示例では、前記ノック式筆記具のキャップ１に、軸筒Ａ１と関連したデザインのオーバーキャップＡ６を一体的に固着すると共に、これらキャップ１及びオーバーキャップＡ６側から、軸筒Ａ１と嵌合などで一体化された軸体Ａ２に亘って戻しバネＡ７を介装し、このオーバーキャップＡ６を軸方向へスライド操作することで、筆記体Ａ４としてリフィールの筆記先端部を、軸筒Ａ１の先端口Ａ５から出没させるオーバーキャップタイプのノック式ボールペンである場合を示している。
【００１６】
このキャップ１は、例えば真鍮などの金属又は硬質合成樹脂などで、少なくとも前端側を円筒状に形成して開口させ、その内径を後述するノック棒２の後端部の外径と略同じにすると共に、この前端開口部１ａに沿ってすり割り部３を、図示例では周方向へ等間隔毎に２本切欠形成し、該前端開口部１ａの内周面には、前記凹凸部４としてネジを刻設することが望ましい。
【００１７】
これらすり割り部３及び凹凸部４の加工順序としては、先ず、キャップ１の前端開口部１ａの内周面に凹凸部４を形成した後に、すり割り部３を切削加工すれば、簡単に製作でき、特に凹凸部４としてネジを刻設すれば、外径の小さなキャップ１でも多数の凹凸部を簡単に製作できる。
【００１８】
更に、上記ノック棒２は、前記キャップ１の材質よりも軟らかい例えばジュラコン（ＰＯＭ）又はその他の軟質合成樹脂や金属などで、少なくとも後端側が円柱状に形成されている。
【００１９】
また、上記キャップ１のノック棒２と向き合わない反対側の外周面には、その所定位置に後述する径変化規制筒体５を取り付けて一体化するための固着手段１ｂとして、図示例では該径変化規制筒体５の内周面に刻設された内ネジ５ａと螺合する外ネジをキャップ１の外周面に刻設することで軸方向へ調整移動自在に取り付けているが、接着などにより径変化規制筒体５をキャップ１に固定することも可能である。
なお、図中、符号５ｂはキャップ１の外ネジ１ｂに対して、径変化規制筒体５の内ネジ５ａを螺合させて締め付ける際に使用する工具の係合溝である。
【００２０】
この径変化規制筒体５は、前記すり割り部３の奥側（後端側）と重なり合うようにキャップ１の指定位置に配置することで、すり割り部３の隙間の先端側（前端側）と奥側（後端側）では、夫々の広狭幅が異なるように規制するものである。
【００２１】
詳しくは、図２に示す如く、キャップ１の前端側外周面と径変化規制筒体５の前端側内周面との間に適宜寸法の間隙Ｓを形成することにより、ノック棒２の圧入に伴って、すり割り部３の隙間の先端側（前端側）に相当するキャップ１の前端側外周面が径変化規制筒体５の前端側内周面に突き当たるまで、キャップ１の前端開口部１ａ及びその外径を拡開可能にしているが、すり割り部３の隙間の奥側（後端側）に相当するキャップ１の後側外周面は拡開不能にしている。
図示例では、キャップ１の前端側外周面の外径をその後側外周面よりも若干小径に形成しているが、これに代えて径変化規制筒体５の前端側内周面の内径をその後側外周面よりも若干大径に形成することも可能である。
【００２２】
次に、斯かる筆記具用嵌合構造の作用効果について説明する。
上述した筆記具Ａの組立工程では、先ず、図３（ａ）に示す如く、キャップ１の所定位置に径変化規制筒体５を取り付けて一体化し、その後、これらキャップ１及び径変化規制筒体５を図示せぬが、上記軸筒Ａ１と関連したデザインのオーバーキャップＡ６と固着して、これら両者を一体化する。
【００２３】
その後、図３（ｂ）に示す如く、キャップ１及び径変化規制筒体５と、別工程で予め上記軸筒Ａ１や中駒Ａ２′が形成された軸体Ａ２などに組み込まれたノック棒２とを接近させて、図２に示す如く、キャップ１の前端開口部１ａにノック棒２の後端部を圧入させる。
【００２４】
この圧入により、各すり割り部３の隙間が夫々広がってキャップ１の前端開口部１ａ及びその外径が徐々に拡径し、それに伴って該前端開口部１ａ内にノック棒２の後端部がスムーズに入り込む。
この際、該前端開口部１ａの内周面に形成された凹凸部４が、軟らかい材質からなるノック棒２の後端外周面と当接するものの、これら両者は前端開口部１ａの拡開により単に接触しているだけなので摺動し、軟らかいノック棒２の後端外周面を削ることがない。
【００２５】
その後、ノック棒２の後端部がキャップ１の前端開口部１ａ内の所定位置まで入り込むと、該前端開口部１ａの凹凸部４が軟らかいノック棒２の後端外周面に食い込んで軸方向へ移動不能に保持し抜けを防止する。
それ以降は、例えばノック操作に伴ってキャップ１に抜け方向へ力が作用しても、凹凸部４の食い込みによって嵌合力が強くなるため、キャップ１が抜けることはない。
【００２６】
その結果、簡単な構造でありながら、キャップ１に対するノック棒２の入れ易さと抜け難さを両立させることができる。
特に、キャップ１の材質に比べてノック棒２の材質が軟らかいため、ノック棒２の圧入時にその外表面が凹凸部４で削れる恐れがあるものの、キャップ１のの前端開口部１ａがすり割り部３によって拡径し易くなっているため、ノック棒２をスムーズに挿入できるから、ノック棒２の嵌合部の削れも防止できる。
【００２７】
更に、キャップ１の前端側外周面と径変化規制筒体５の前端側内周面との間に適宜寸法の間隙Ｓを形成したため、ノック棒２の圧入に伴って、各すり割り部３の隙間の先端側（前端側）が広がってキャップ１の前端側外周面が径変化規制筒体５の前端側内周面に突き当たるまで拡開するが、各すり割り部３の隙間の奥側（後端側）は広がらずキャップ１の後側外周面は拡開しない。
【００２８】
即ち、上記径変化規制筒体５で、各すり割り部３の隙間の先端側は広がって嵌合に必要なキャップ１の前端開口部１ａの拡径が確保されるものの、その隙間の奥側は略一定に保たれて外径が拡径するのを抑制しているため、スムーズな圧入を実現しながら確実な抜け防止を達成できる。
特に、キャップ１とノック棒２を着脱させて圧入が繰り返されたとしても確実な抜け防止が期待できる。
【００２９】
そして、図示例のようにキャップ１に対する径変化規制筒体５の固着手段１ｂとしてネジなどにより軸方向へ調整移動自在に取り付けた場合には、各すり割り部３によるキャップ１の前端開口部１ａの拡径幅が最適値となるように、キャップ１に対して径変化規制筒体５の取付位置を簡単に調整できる。
それにより、各すり割り部３の切欠位置や径変化規制筒体５の取付位置を寸法精度高く加工する必要がなくなって、その分だけ加工コストの低減化が図れるという利点もある。    
【００３０】
また、上述した筆記具Ａの構造では、使用者が強いノック操作を繰り返して、上記戻しバネＡ７の弾性力によりノック棒１を戻し方向へ勢い良く突出動させると、その慣性力がキャップ１に作用して抜ける恐れがあった。
【００３１】
しかし、本発明の筆記具用嵌合構造では、強いノック操作を繰り返すなどでして戻しバネＡ７の弾性力によりノック棒２に戻し方向へ勢いの良い慣性力がキャップ１に作用しても、しっかり食い込んでいるため抜けることがない。
その結果、ノック棒２からのキャップ１の抜けを確実に防止できる。
特に図示例のようなオーバーキャップタイプのノック式筆記具の場合には、オーバーキャップＡ６が大きく持ち易いため、強い嵌合力が必要となるが確実に固定できて有効である。
【００３２】
尚、上述した実施例では、雌状体１であるキャップを硬い材質で形成してすり割り部３を設け、それに雄状体２であるノック棒を圧入して、すり割り部３の隙間を広くすることにより、この雌状体１の外径を拡径させて、その向き合う内周面に形成された凹凸部４を、軟らかい材質からなる雄状体２の外周面に食い込ませる場合を示したが、これらに限定されず、図示せぬが雄状体２を硬い材質で形成してすり割り部３を設け、この雄状体２を雌状体１に圧入して、該すり割り部３の隙間を狭くすることにより、この雄状体２の外径を縮径させて、その向き合う外周面に形成された凹凸部４を、軟らかい材質からなる雌状体１の内周面に食い込ませても良い。
【００３３】
更に、例えば実開昭６４−４８２９３号公報に開示される如く、軸筒を分割構成する前軸と後軸の端部同士を相互に連結する際に、本発明の筆記具用嵌合構造を利用したり、軸筒の外周面沿いに装飾リングやグリップや先口金具を圧入嵌合させる際に利用しても良い。
【００３４】
また、上記筆記具Ａによれば、ノック操作により筆記体Ａ４の先端部を軸筒Ａ１の先端口Ａ５から出没させるノック式筆記具であり、更に図示例ではキャップ１にオーバーキャップＡ６を一体的に備えたオーバーキャップタイプの構造を示したが、本発明は、これに限定されず、図示せぬがオーバーキャップタイプでない一般的なノック式筆記具のキャップ１とノック棒２との嵌合連結に使用したり、それ以外の構造のボールペンやシャープペンシルやフェルトペンなどであっても良い。
【図面の簡単な説明】
【００３５】
【図１】本発明の筆記具用嵌合構造の一実施例を示す半断面図である。
【図２】要部を拡大して示す縦断面図である。
【図３】組立工程を示す斜視図である。
【符号の説明】
【００３６】
Ａ  筆記具                            Ａ１  軸筒
１  雌状体（キャップ）                ２  雄状体（ノック棒）
３  すり割り部                        ４  凹凸部
５  径変化規制筒体
【図１】
2007118273.tif 000003
【図２】
2007118273.tif 000004
【図３】
2007118273.tif 000005